(57)【要約】【課題】簡易な構造で、かつ施工しやすい門型フェンスを提供する。【解決手段】設置面への設置状態において縦方向に延びる少なくとも左右一対の柱部１と、前記柱部１，１間を横方向に連結する梁部２とを備え、前記柱部１を、弾性的に変形する可撓性を有し、外力により起立姿勢から変形し、かつ、その外力の解除により元の起立姿勢に復元するように構成しているため、カバー等の別部材を必要とせず、簡易な構造とすることができるので、組立や施工がしやすい。【選択図】        図１
2011080349.tif 000002
【特許請求の範囲】
【請求項１】
設置面への設置状態において縦方向に延びる少なくとも左右一対の柱部と、前記柱部間を横方向に連結する梁部とを備え、前記柱部は、弾性的に変形する可撓性を有し、外力により起立姿勢から変形し、かつ、その外力の解除により元の起立姿勢に復元するように構成されていることを特徴とする門型フェンス。
【請求項２】
前記柱部と梁部とが継手部を介して連結され、該継手部は、略Ｌ字型の継手本体の両端に、前記柱部の上端に結合される下方結合部と、梁部の端部に結合される水平結合部とがそれぞれ設けられていることを特徴とする請求項１に記載の門型フェンス。
【請求項３】
前記下方結合部は、継手本体の下端より突出された筒状の挿入部と、該挿入部内に嵌入された硬質の短管とを備え、下方結合部が前記柱部の上端内に挿入されていることを特徴とする請求項２に記載の門型フェンス。
【請求項４】
前記柱部は、柱部本体と、該柱部本体の上端に装着されて継手部が挿入される上端接続部と、を備えてなり、該上端接続部は、前記柱部本体の内径と略同一の外径を有する円筒状の突出壁の外周の上端に、柱部本体の外径と略同一の外径を有する鍔が設けられており、該鍔の上方には継手部の下方結合部が挿入される継手受け部が形成されていることを特徴とする請求項２又は３に記載の門型フェンス。
【請求項５】
梁部の端部に、硬質の短管が内装された筒状の連結部が設けられ、該連結部が継手本体の水平端に形成された挿入孔からなる水平結合部に挿入されていることを特徴とする請求項２又は３に記載の門型フェンス。
【請求項６】
前記連結部は、前記梁部の端部外側を覆う壁部と、該壁部の内側に設けられたリング状の梁部挿入溝部と、該梁部挿入溝部の内側に設けられ梁部の端部内側に挿入される内壁部とを梁部側に備え、その反対側に硬質の短管が内装された筒状の連結部が設けられていることを特徴とする請求項５に記載の門型フェンス。
【請求項７】
請求項１〜６のいずれか１項に記載の門型フェンスの施工方法であって、柱部の下部にベース部が設けられ、該ベース部の下面に接着剤を塗布して前記下面を設置面に接着することにより、柱部を設置面に立設するようにしたことを特徴とする門型フェンスの施工方法。
【請求項８】
請求項１〜６のいずれか１項に記載の門型フェンスの施工方法であって、開閉するための蓋が上端に軸支されたサヤ管が設置面に略面一に埋め込まれると共に、柱部の下部にベース部が設けられ、該ベース部の下面より突設させた挿入体を前記サヤ管に挿入することにより、柱部を設置面に立設するようにしたことを特徴とする門型フェンスの施工方法。
【請求項９】
請求項２〜６のいずれか１項に記載の門型フェンスの施工方法であって、少なくとも左右一対の柱部間に梁部を連結するに際して、予め梁部の両端に継手部を結合し、次いでこの梁部に結合した継手部を柱部の上端に結合するようにしたことを特徴とする門型フェンスの施工方法。
【請求項１０】
請求項７又は８に記載の門型フェンスの施工方法であって、少なくとも左右一対の柱部間に梁部を連結するに際して、予め梁部の両端に継手部を結合し、次いでこの梁部に結合した継手部を柱部の上端に結合するようにしたことを特徴とする門型フェンスの施工方法。
【発明の詳細な説明】
【技術分野】
【０００１】
本発明は、例えば道路の路側や歩行帯、敷地内の通路、公園内、遊歩道、自転車道等の設置面に設置される門型フェンス及びその施工方法に関するものである。
【背景技術】
【０００２】
従来、道路の路側や歩行帯、敷地内の通路、公園内、遊歩道、自転車道等の設置面に設置され、車両の歩道への進入を物理的又は心理的に防止したり、人と自転車の通行区分をしたりする門型フェンスに関しては、例えば特許文献１には、路面に立設されるポール本体が、地表付近から上方に位置する柱部と、下方の地中に埋設されるか又は嵌入される埋設部に分割されると共に、柱部と埋設部とに跨って弾性体を取付けた路面ポールを用いた遮蔽体であって、前記路面ポールを複数本互いに平行して路面に立設し、各路面ポール間に矩形状の面体又は水平なバー材を固定し、或いは、チェーン又はロープを掛け渡したフェンス等の遮蔽体が開示されている。
【先行技術文献】
【特許文献】
【０００３】
【特許文献１】特開２０００−１７９１７７
【発明の概要】
【発明が解決しようとする課題】
【０００４】
しかしながら上記従来のフェンスは、柱部と埋設部とに跨って弾性体を取付けた路面ポールを用いてなるため、遮蔽体が弾性変形した際、離間した柱部と埋設部との隙間から内部に砂利や塵埃が入り込んでしまうため、離間した時に柱部と埋設部との隙間を覆うカバーが必要となり、部材点数が増えたり、組立に手間を要したりすると言った課題があった。
【０００５】
本発明は、前記の如き課題を解消し、簡易な構造で、かつ施工しやすい門型フェンス及びその施工方法を提供せんとするものである。
【課題を解決するための手段】
【０００６】
上記目的を達成するために、本発明は次のような構成としている。
すなわち、本発明に係る門型フェンスは、設置面への設置状態において縦方向に延びる少なくとも左右一対の柱部と、前記柱部間を横方向に連結する梁部とを備え、前記柱部は、弾性的に変形する可撓性を有し、外力により起立姿勢から変形し、かつ、その外力の解除により元の起立姿勢に復元するように構成されていることを特徴とするものである。
【０００７】
また本発明に係る門型フェンスは、前記柱部と梁部とが継手部を介して連結され、該継手部は、略Ｌ字型の継手本体の両端に、前記柱部の上端に結合される下方結合部と、梁部の端部に結合される水平結合部とがそれぞれ設けられていることを特徴とするものである。
【０００８】
また本発明に係る門型フェンスは、前記下方結合部は、継手本体の下端より突出された筒状の挿入部と、該挿入部内に嵌入された硬質の短管とを備え、下方結合部が前記柱部の上端内に挿入されていることを特徴とするものである。
【０００９】
また本発明に係る門型フェンスは、前記柱部は、柱部本体と、該柱部本体の上端に装着されて継手部が挿入される上端接続部と、を備えてなり、該上端接続部は、前記柱部本体の内径と略同一の外径を有する円筒状の突出壁の外周の上端に、柱部本体の外径と略同一の外径を有する鍔が設けられており、該鍔の上方には継手部の下方結合部が挿入される継手受け部が形成されていることを特徴とするものである。
【００１０】
また、本発明に係る門型フェンスは、梁部の端部に、硬質の短管が内装された筒状の連結部が設けられ、該連結部が継手本体の水平端に形成された挿入孔からなる水平結合部に挿入されていることを特徴とするものである。
【００１１】
また本発明に門型フェンスは、前記連結部は、前記梁部の端部外側を覆う壁部と、該壁部の内側に設けられたリング状の梁部挿入溝部と、該梁部挿入溝部の内側に設けられ梁部の端部内側に挿入される内壁部とを梁部側に備え、その反対側に硬質の短管が内装された筒状の連結部が設けられていることを特徴とするものである。
【００１２】
また本発明に係る門型フェンスの施工方法は、柱部の下部にベース部が設けられ、該ベース部の下面に接着剤を塗布して前記下面を設置面に接着することにより、柱部を設置面に立設するようにしたことを特徴とするものである。
【００１３】
また本発明に係る門型フェンスの施工方法は、開閉するための蓋が上端に軸支されたサヤ管が設置面に略面一に埋め込まれると共に、柱部の下部にベース部が設けられ、該ベース部の下面より突設させた挿入体を前記サヤ管に挿入することにより、柱部を設置面に立設するようにしたことを特徴とするものである。
【００１４】
また本発明に係る門型フェンスの施工方法は、少なくとも左右一対の柱部間に梁部を連結するに際して、予め梁部の両端に継手部を結合し、次いでこの梁部に結合した継手部を柱部の上端に結合するようにしたことを特徴とするものである。
【発明の効果】
【００１５】
本発明によれば、設置面への設置状態において縦方向に延びる少なくとも左右一対の柱部と、前記柱部間を横方向に連結する梁部とを備え、前記柱部を、弾性的に変形する可撓性を有し、外力により起立姿勢から変形し、かつ、その外力の解除により元の起立姿勢に復元するように構成しているため、カバー等の別部材を必要とせず、簡易な構造とすることができるので、組立や施工がしやすい。
【００１６】
また本発明によれば、前記柱部と梁部とが継手部を介して連結され、該継手部は、略Ｌ字型の継手本体の両端に、前記柱部の上端に結合される下方結合部と、梁部の端部に結合される水平結合部とがそれぞれ設けられているため、簡単に柱部に梁部を取付けることができる。
【００１７】
また本発明によれば、前記下方結合部は、継手本体の下端より突出された筒状の挿入部と、該挿入部内に嵌入された硬質の短管とを備え、下方結合部が前記柱部の上端内に挿入されているため、挿入部を柱部上端内に挿入して継手部の下方結合部をネジで固定する際、硬質の短管にネジが螺入されて、柱部と継手部の下方結合部とを強固に固定することができる。
【００１８】
また本発明によれば、前記柱部は、柱部本体と、該柱部本体の上端に装着されて継手部が挿入される上端接続部と、を備えてなり、該上端接続部は、前記柱部本体の内径と略同一の外径を有する円筒状の突出壁の外周の上端に、柱部本体の外径と略同一の外径を有する鍔が設けられており、該鍔の上方には継手部の下方結合部が挿入される継手受け部が形成されているため、門型フェンスを施工する際、柱部を設置面に立設して継手部を挿入する時の位置決めを行い易く、施工を効率的に行うことができる。
【００１９】
また本発明によれば、梁部の端部に、硬質の短管が内装された筒状の連結部が設けられ、該連結部が継手本体の水平端に形成された挿入孔からなる水平結合部に挿入されているため、連結部を水平結合部にネジで固定する際、硬質の短管にネジが螺入されて、連結部と継手部の水平結合部とを強固に固定することができる。
【００２０】
また本発明によれば、前記連結部は、前記梁部の端部外側を覆う壁部と、該壁部の内側に設けられたリング状の梁部挿入溝部と、該梁部挿入溝部の内側に設けられ梁部の端部内側に挿入される内壁部とを梁部側に備え、その反対側に硬質の短管が内装された筒状の連結部が設けられているため、梁部の端部を梁部挿入溝部に挿入して回転融着させ、梁部と連結部とを確実に強固に取付けることができる。
【００２１】
また本発明に係る門型フェンスの施工方法によれば、柱部の下部にベース部を設け、該ベース部の下面に接着剤を塗布して前記下面を設置面に接着することにより、柱部を設置面に立設するようにしているため、設置面を掘り起こして基礎を形成する必要がなく、施工を効率的に実施することができる。
【００２２】
また本発明に係る門型フェンスの施工方法によれば、開閉するための蓋が上端に軸支されたサヤ管を設置面に略面一に埋め込むと共に、柱部の下部にベース部を設け、該ベース部の下面より突設した挿入体を前記サヤ管に挿入することにより、柱部が設置面に立設されるようにしているため、必要に応じて門型フェンスを簡単に着脱することができ、好ましい。
【００２３】
また本発明に係る門型フェンスの施工方法によれば、少なくとも左右一対の柱部間に梁部を連結するに際して、予め梁部の両端に継手部を結合し、次いでこの梁部に結合した継手部を柱部の上端に結合するようにしているため、左右一対の柱部を設置する際、その設置する向きに方向性が無いので、設置の方向性を気にすることなく、効率よく施工することができる。
【図面の簡単な説明】
【００２４】
【図１】本発明に係る門型フェンスの一実施形態を示す斜視図である。
【図２】図１の正面視の縦断面図である。
【図３】図２の要部拡大図である。
【図４】図２の分解説明図である。
【図５】本発明に係る門型フェンスの耐荷重試験結果を表す表である。
【図６】本発明に係る門型フェンスの別の実施形態を示す斜視図である。
【図７】図６の要部の部分断面図である。
【図８】本発明に係る門型フェンスのさらに別の実施形態を示す斜視図である。
【図９】図８の正面の断面図である。
【図１０】図８の要部を示す、（ａ）は正面の断面図、（ｂ）は左側面の断面図である。
【図１１】図８に示す実施形態の施工方法を示す説明図である。
【発明を実施するための形態】
【００２５】
次に、本発明を実施するための最良の形態について図面を参照し、具体的に説明する。
本発明に係る門型フェンスＰは、例えば道路の路側や歩行帯、敷地内の通路、公園内、遊歩道、自転車道等の設置面に設置されるものであり、設置面への設置状態において縦方向に延びる左右一対の柱部１と、前記柱部１１間を横方向に連結する梁部２とを備え、前記柱部１と梁部２とが継手部３を介して連結されてなる。
【００２６】
柱部１は、柱部本体１１と、該柱部本体１１の上端に装着されて継手部３が挿入される上端接続部１２と、前記柱部本体１１の下端に取付けられるベース部１３とを備えている。柱部本体１１はポリウレタン樹脂により押出成形され、円筒中空状の中空部１１１を備えている。
【００２７】
上端接続部１２は、柱部本体１１の内径と略同一の外径を有する円筒状の突出壁１２１の外周の上端に、柱部本体１１の外径と略同一の外径を有する鍔１２２が設けられており、さらに鍔１２２の上方には後述する継手部３の下方結合部３３が挿入される継手挿入部１２３が形成されて、柱部本体１１の上端面と鍔１２２の下面とが接するまで突出壁１２１が柱部本体１１の中空部１１１へ挿入されて、上端接続部１２と柱部本体１１とが回転融着されて上端接続部１２が柱部本体１１に取付けられている。
【００２８】
ベース部１３は、上方に向けて円筒状の取付部１３１と柱部本体１１の下端付近での挫屈度合いを小さくする補強材１３２が一体に形成され、またベース部１３の下面１３３よりボルトＢが突設され、更にポリウレタン樹脂を押出成形することで形成された芯材１４が突設されており、取付部１３１と柱部本体１１とが融着されて柱部本体１１にベース部１３が取付けられる。
【００２９】
４は上面が開口された有底筒状体の内部下方にナット部が形成されたアンカーナットであり、前記ボルトＢがアンカーナット４に螺入さている状態となされている。
【００３０】
芯材１４の外径は柱部本体１１の内径より小さくなされており、ベース部１３の周囲には合成樹脂に球形のガラスビーズを埋設した帯状の反射体Ｒ１がベース部１３に刻設された溝に嵌着されて取付けられている。また、柱部本体１１の上部には間隔をあけて２ヶ所に柱部本体１１の全周に亘って反射シートである反射体Ｒ２が貼着されている。
【００３１】
前記梁部２は、ポリウレタン樹脂により押出成形され、円筒中空状に形成され、梁部２の両端部には、硬質の短管５１が内装された筒状の連結部５が設けられ、該連結部５が後述する継手部３の継手本体３１の水平端に形成された挿入孔からなる水平結合部３２に挿入されて、硬質の短管５１が挿入される水平結合部３２の位置に、タッピングネジＴを螺入して短管５１を貫通して固定することにより、連結部５と継手部３とが固定される。
【００３２】
なお、連結部５は、前記梁部２の端部外側を覆う壁部５２と、該壁部５２の内側に設けられたリング状の梁部挿入溝部５３と、該梁部挿入溝部５３の内側に設けられ梁部２の端部内側に挿入される内壁部５４とを梁部側に備え、その反対側に硬質の短管５１が内装された筒状となされており、梁部２を梁部挿入溝部５３に挿入し、回転融着により梁部２と連結部５とが固着されている。かようにして、梁部２と連結部５と継手部３とが一体化されるのである。
【００３３】
前記継手部３は、略Ｌ字型の継手本体３１の両端に、前記柱部１の上端に装着された上端接続部１２に結合される下方結合部３３と、梁部２の端部に融着された連結部５に結合される水平結合部３２とがそれぞれ設けられており、射出成型等により中空状に形成されている。
【００３４】
前記下方結合部３３は、継手本体３１の下端より突出された筒状の挿入部３４と、該挿入部３４内に嵌入された硬質の短管３５とを備え、下方結合部３３が前記柱部１の上端接続部１２の中空内に、該中空内に設けられた段部１２４に継手本体３１の下端が当接されるまで挿入されて、硬質の短管３５が挿入される上端接続部１２の位置に、タッピングネジＴを螺入して短管３５を貫通して固定することにより、柱部１と継手部３とが連結される。
【００３５】
なお、前記柱部１は、弾性的に変形する可撓性を有し、外力により起立姿勢から変形し、かつ、その外力の解除により元の起立姿勢に復元するように構成されており、本実施形態においては、ボルトＢとアンカーナット４と反射体Ｒ１，Ｒ２とタッピングネジＴ以外の部材も弾性的に変形する可撓性を有する材料で形成されている。
【００３６】
具体的には、柱部１、梁部２、継手部３及び連結部５は硬度９５〜１００のポリウレタン樹脂で形成されている。より具体的には、柱部本体１１、上部挿入部１２、ベース部１３、短管３５を除く継手部３、短管５１を除く連結部５は硬度９５で、梁部２、芯材１４は硬度９８〜１００で形成されている。なお、ここに示す硬度は、日本工業規格ＪＩＳ  Ｋ−７２１５に規定されるデュロメータ・タイプAにて測定されたものである。
【００３７】
各部材を上記それぞれの硬度のポリウレタン樹脂で形成した門型フェンスＰについて、下記の通り耐荷重試験を実施した結果を図５の表に示す。
＜試験条件＞
・門型フェンスサイズ
１．柱部直径：８０ｍｍ
２．梁部直径：６０ｍｍ
３．柱部間距離：１０００ｍ
４．高さ：６００ｍｍ
・耐荷重試験条件
門型フェンスＰを設置面に立設させ、梁部２に等分布荷重を加え、撓み量と残留撓みの測定及び外観確認を行う。
【００３８】
この結果より、７０ｋｇまでの荷重に耐え得ると共に、残留撓みも極小に抑えられ、長期使用に耐え得ることが解った。つまり、上記それぞれの硬度のポリウレタン樹脂を組合せた各部材で門型フェンスＰを構成することによって、表１の耐荷重試験結果に示す如く、７０ｋｇの荷重に耐え得る門型フェンスＰを形成することができ、例えば、子供が当該門型フェンスＰの梁部２に腰掛けたとしても、弾性的に変形することはなく、転倒してケガをすることがない様な、強度と可撓性とのバランスが取れた門型フェンスＰを形成することができるのである。
【００３９】
短管３５、５１の材質については、硬質であれば特に限定されるものではなく、鉄鋼、ステンレス鋼、アルミニウム合金、ジュラコン等の硬質合成樹脂等を適宜用いれば良いが、この短管３５，５１にタッピングネジＴを螺入して、継手部３と柱部１の上端接続部１２、及び連結部５と継手部３とを固定することから、鉄鋼やステンレス鋼は硬度が高すぎるため、予め孔開け加工が必要であったり、孔位置合わせに手間がかかるため、それらに比べると比較的硬度の低いアルミニウム合金や硬質合成樹脂を用いるのが好ましい。
【００４０】
次に、門型フェンスＰの施工方法について図４により説明する。
まず設置面にアンカーナット４の挿入可能な大きさの取付孔Ｈを、所定の柱部間距離をおいて穿設し、この取付孔Ｈにアンカーナット４を挿入すると共に、該取付孔Ｈに接着剤Ｓを流し込み、アンカーナット４を固定する。しかる後、前記アンカーナット４にベース部１３の下面１３３より突設されたボルトＢを螺着し、柱部１を立設させる。次いで、予め梁部２の両端部に固着された連結部５にタッピングネジＴを用いて固定された継手部３の挿入部３４を、左右の柱部１の柱部上端接続部１２にそれぞれ挿入して、タッピングネジＴを螺入し固定することにより、門型フェンスＰを施工することができる。
【００４１】
この場合、前記アンカーナット４をベース部１３の下面１３３より突設されたボルトＢに予め螺着し、このボルトＢに螺着された状態で該アンカーナット４を取付孔Ｈに挿入固定するようにしてもよい。
【００４２】
すなわち、前もって柱部１の下部から突出されたボルトＢにアンカーナット４を螺着する。一方、設置面に前記アンカーナット４の挿入可能な大きさの取付孔Ｈを、所定の柱部間距離をおいて穿設する。そして、この取付孔Ｈに前記ボルトＢに螺着したアンカーナット４をボルトBごと挿入すると共に、該取付孔Ｈに接着剤Ｓを流し込み、該接着剤を固化させることによって、アンカーナット４を固定させて、柱部１を立設固定させる。しかる後、予め梁部２の両端部に固着された連結部５にタッピングネジＴを用いて固定された継手部３の挿入部３４を、左右の柱部１の柱部上端接続部１２にそれぞれ挿入して、タッピングネジＴを螺入し固定することにより、門型フェンスＰを施工することができる。
【００４３】
一方、柱部１の柱部上端接続部１２に継手部３を連結したものに、その両端部に連結部５が固着された梁部２を水平方向から突っ込んで連結しても良いが、この場合は左右の柱部１の上端に連結された継手部３の水平結合部３２、３２の挿入孔を相対向させた状態に柱部１を立設させる必要があるため、施工精度を要するものとなり、施工に手間がかかるため、好ましくない。
【００４４】
上記の如く、予め梁部２の両端に継手部３を結合し、次いでこの梁部２に結合した継手部３を柱部１の上端に上から落とし込むようにして結合するようにすることより、効率よく門型フェンスＰの施工を行うことができるのである。
【００４５】
次に図６、７を用いて、本発明に係る別の実施形態について説明する。
図６、７に示す形態は、図１〜５に示す形態と異なり、柱部１の下部に設けられたベース部１３の下面１３３よりボルトＢは突設されていない。それ以外は、図１〜５に示す形態と同様であるため、説明は省略する。その施工方法については、ベース部１３の下面１３３に、接着剤Ｓを塗布して前記下面１３３を設置面に接着して、柱部１を設置面に立設するようにする。このようにして施工できるため、設置面を掘り起こして基礎を形成する必要がなく、施工を効率的に実施することができる。
【００４６】
またこの施工方法においては、前記のように先ず左右一対の柱部１を立設し、しかる後に、該柱部１間に梁部２を連結してもよいが、柱部１１間に梁部２を連結した状態で、該柱部１を設置面に固定することができる。
【００４７】
さらに本発明に係る別の形態について、図８〜１０を用いて説明する。
図８〜１０に示す形態は、図１〜５に示す形態と同様、柱部１の下部に設けられたベース部１３の下面１３３よりボルトＢが突設されている。また、６は柱部１のベース部１３の下面１３３に取付けられた挿入体であって、該挿入体６は管状の挿入体本体６１の内部上方に雌ネジ部６２を備え、該雌ネジ部６２に前記柱部１のボルトＢが螺入されて、挿入体６がベース部１３の下面１３３に取付けられている。また前記雌ネジ部６２の上方、すなわち挿入体本体６１の上端には、ボルトＢが貫通する貫通孔６３が中央に穿設された上面板６４が取付けられ、該上面板６４の一端には縦壁６５が立設されて、該縦壁６５の上部には外方に向けて突出する突片６６が設けられ、該突片６６の先端部には通孔６７が穿設されている。
【００４８】
また、７は菅状体からなるサヤ菅であり、該サヤ菅は図８〜１０に示す形態の門型フェンスを設置する設置面に略面一に埋め込まれ、このサヤ菅に前記挿入体６を内挿することにより、柱部１が立設される。該サヤ管７はその上端に開閉するための蓋７１が支軸７２によって軸支されており、そして、図８〜１０に示す形態の門型フェンスを設置面に設置する時には、閉鎖状態のサヤ管７の蓋７１を支軸を中心に回動して開け、該蓋７１を起立状態にした後、前記ベース部１３の下面１３３に取付けられている挿入体６をサヤ管７に内挿すると共に、蓋７１に穿設された丸孔７３から挿入体６の突片６６を突出させ、突片６６の通孔６７に南京錠Ｊを挿通して施錠することにより、埋設されたサヤ管７に挿入体６が固定されて、柱部１が設置面に立設されて、門型フェンスが設置される。
【００４９】
このように、サヤ菅７及び挿入体６を介して、柱部１を設置面に立設することによって、門型フェンスを簡単に着脱することができると共に、南京錠Ｊの施錠によって、第三者による不必要な着脱から防止することができる。
【００５０】
なお、この施工方法においても、先ず左右一対の柱部１をサヤ菅７及び挿入体６を介して立設し、しかる後に、この柱部１間に梁部２を連結してもよいが、該柱部１に挿入体６を取付けることにより、柱部１１間に梁部２を連結した状態で、該柱部１を設置面に固定することができる。
【産業上の利用可能性】
【００５１】
本発明によれば、設置面への設置状態において縦方向に延びる少なくとも左右一対の柱部と、前記柱部間を横方向に連結する梁部とを備え、前記柱部を、弾性的に変形する可撓性を有し、外力により起立姿勢から変形し、かつ、その外力の解除により元の起立姿勢に復元するように構成しているため、カバー等の別部材を必要とせず、簡易な構造とすることができるので、組立や施工を容易に行うことができる門型フェンスに好適に利用できる。
【符号の説明】
【００５２】
１      柱部
１１    柱部本体
１２    上端接続部
１３    ベース部
１４    芯材
２      梁部
３      継手部
３１    継手本体
３２    水平結合部
３３    下方結合部
３４    挿入部
３５    短管
４      アンカーナット
５      連結部
５１    短管
５２    壁部
５３    梁部挿入部
５４    内壁部
６      挿入体
６１    雌ネジ部
６２    挿入体本体
６３    貫通孔
６４    上面板
６５    縦壁
６６    突片
６７    通孔
７      サヤ管
７１    蓋
７２    支軸
７３    丸孔
Ｐ      門型フェンス
Ｓ      接着剤
【図１】
2011080349.tif 000003
【図２】
2011080349.tif 000004
【図３】
2011080349.tif 000005
【図４】
2011080349.tif 000006
【図５】
2011080349.tif 000007
【図６】
2011080349.tif 000008
【図７】
2011080349.tif 000009
【図８】
2011080349.tif 000010
【図９】
2011080349.tif 000011
【図１０】
2011080349.tif 000012
【図１１】
2011080349.tif 000013